(57)【要約】【課題】軽量で手軽に持ち運べて、毛髪および頭皮に負担をかけずに使用することができ、使用後は分別処理することなく燃えるゴミと一緒に廃棄処分可能となり、焼却しても有害物質の発生もなく、環境負荷の低減化にもなる、髪巻き具を提供することである。【解決手段】髪巻き具１０は、たとえば断面略多角形の筒状体に形成され、筒状体の周面に毛髪が巻かれる巻き部本体１２を含む。巻き部本体１２の内側には、熱および／またはスチームが排出可能となる発熱体３８が配置される。巻き部本体１２は、紙および／またはパルプを主材料として形成される。【選択図】図２
2006122092.tif 000002
【特許請求の範囲】
【請求項１】
筒状体に形成され、前記筒状体の周面に毛髪が巻かれる巻き部本体、および
前記巻き部本体の内側に配置され、熱および／またはスチームが排出可能となる発熱体を含み、
前記巻き部本体は、紙および／またはパルプを主材料として形成されることを特徴とする、髪巻き具。
【請求項２】
前記巻き部本体の内側で前記発熱体と前記巻き部本体との間に配置され、筒状体に形成される内筒部、
前記内筒部の周面に配設され、各々、切れ目で囲まれた部位が前記内筒部の周面から外方に向いて突出する多数の遊離舌片をさらに含み、
前記巻き部本体および前記内筒部が紙を主材料として形成され、前記遊離舌片の端縁の少なくとも一部が、前記巻き部本体の内面に当接して、前記巻き部本体を支持していることを特徴とする、請求項１に記載の髪巻き具。
【請求項３】
前記巻き部本体の周面に配設され、各々、切れ目で囲まれた部位が前記巻き部本体の周面から外方に向いて突出する多数の切起し片をさらに含むことを特徴とする、請求項２に記載の髪巻き具。
【請求項４】
前記巻き部本体の切起し片の端面は、前記巻き部本体の軸線方向ないし前記巻き部本体の軸線方向に対して交差する方向に配置されることを特徴とする、請求項３に記載の髪巻き具。
【請求項５】
前記巻き部本体の周面には、毛髪を巻いたときの滑り止めとなる防滑部が配設されることを特徴とする、請求項１〜請求項４のいずれかに記載の髪巻き具。
【請求項６】
前記防滑部は、前記巻き部本体の軸線方向ないし前記巻き部本体の軸線と交差する方向に配置されることを特徴とする、請求項５に記載の髪巻き具。
【請求項７】
前記巻き部本体は、その周面に貫通部を有することを特徴とする、請求項１に記載の髪巻き具。
【請求項８】
前記巻き部本体および前記内筒部は、それぞれ、その周面に貫通部を有することを特徴とする、請求項２に記載の髪巻き具。
【請求項９】
前記防滑部は、前記巻き部本体の周面の少なくとも一部に配設された合成樹脂からなる塗膜を含むことを特徴とする、請求項５に記載の髪巻き具。
【請求項１０】
前記巻き部本体の周面の少なくとも一部に配設された凸部を含むことを特徴とする、請求項５に記載の髪巻き具。
【請求項１１】
紙および／またはパルプを主材料として形成され、前記巻き部本体および前記内筒部を形成するための髪巻き具用シートであって、前記髪巻き具用シートシートは、前記遊離舌片および前記切起し片を形成するための切れ目を含むことを特徴とする、髪巻き具用シート。
【発明の詳細な説明】
【技術分野】
【０００１】
本願発明は、髪巻き具に関し、特に、当該髪巻き具に巻き付けられる毛髪を加熱する加熱手段を備え、持ち運びに便利な髪巻き具に関する。
【背景技術】
【０００２】
本願発明の背景となる先行技術には、ヘアーカーラー本体の内壁に発熱物質が固定され、空気取入れ口より導入される空気中の酸素または水と発熱物質との反応によって、毛髪に熱を与える構造の使い捨て自己発熱ヘアーカーラーがあった。ヘアーカーラー本体は、軽量で強度も高いアルミニウム金属等の伝熱性の良好な金属で形成されている。また、発熱物質による熱の効果的な伝導のために、ヘアーカーラー本体の側壁には、山形の凹凸部を設けることで表面積を増加させている。この場合、凹凸部は、ヘアーカーラー本体の側壁と一体的に形成されているので、この使い捨て自己発熱ヘアーカーラーでは、製造上においても使い捨てにしうる利点があった（例えば、特許文献１参照。）。
また、他の先行技術には、その内部に酸化反応熱により熱を発する簡易酸化発熱剤が充填された中空状の髪巻付けドラムと、その髪巻付けドラムに巻付けた髪を止める止め部材とで構成され、簡易酸化反応熱剤の反応熱により巻毛セットを可能とした使い捨て巻毛用カーラーがあった。髪巻付けドラムは、鉄・アルミ等の熱伝導性の高い金属で形成され、その外周面には、髪の巻き止めを可能とする多数の突起が設けられている。この使い捨て巻毛用カーラーでは、酸化発熱作用が低下したときには、該使い捨て巻毛用カーラー全体をそのまま廃棄処分するものであった（例えば、特許文献２参照。）。
さらに、他の先行技術には、酸化作用により発熱する鉄粉と触媒としての食塩とが内蔵され、紙製等の通気性を有する円筒状袋と、円筒状袋の周囲に巻き付けた髪を固定するもので、多数の通気孔を備えたプラスチック製のカバーとで構成された携帯用ヘアーカーラーがあった。この場合、鉄粉の酸化作用による酸化熱で円筒状袋が高温となり、高温の円筒状袋に巻付けられた髪がカールされる。また、円筒状袋は、使い捨てとなり、旅行およびキャンプ等に好適であった（例えば、特許文献３参照。）。
さらに、他の先行技術には、たとえば塩ビ系の合成樹脂からなる巻き付け具と、巻き付け具に巻かれた髪を巻き付け具との間に挟持する押さえ具と、巻き付け具の中空部に挿入される金属発熱体とで構成された携帯用ヘアカーラーがあった。この場合、金属発熱体は、通気性のある合成樹脂製の袋に金属発熱組成物が収納されたものであり、巻き付け具はその円周面に多数の突起および細孔を有するものである（例えば、特許文献４および特許文献５参照。）。
【０００３】
【特許文献１】実開昭５４−１５１５８５号公報
【特許文献２】実開昭５６−１４５４０２号公報
【特許文献３】実開昭５９−１６５０１号公報
【特許文献４】実開昭６３−１６０７０４号公報
【特許文献５】特公平０４−５７３２３号公報
【発明の開示】
【発明が解決しようとする課題】
【０００４】
しかしながら、特許文献１および特許文献２で例示した先行技術では、それぞれ、ヘアーカーラー本体および髪巻付けドラムが金属で形成されているので、比較的重量も重く、毛髪および頭皮に負担をかける恐れがある。また、製造コスト等も高くつき、廃棄する場合には、紙等の所謂燃えるゴミと一緒に廃棄処理することができず、廃棄時の分別処理が面倒なものとなる。
特許文献３で例示した先行技術では、紙製の円筒状袋は燃えるゴミと一緒に廃棄することができるが、円筒状袋の周囲に巻き付けた髪を固定するカバーはプラスチックで形成されているので、これは燃えるゴミと一緒に廃棄処理することができず、廃棄時の分別処理が面倒なものとなる。しかも、プラスチック製のカバーを焼却した場合、有害ガスが発生するため、これまた不都合をきたすものとなる。
さらに、特許文献４で例示した先行技術では、巻き付け具が塩ビ系の合成樹脂で形成されているため、これもまた、燃えるゴミと一緒に廃棄処理することができず、廃棄時の分別処理が面倒なものとなる上、これを焼却施設で焼却した場合、ダイオキシン等の有害ガスが発生し、焼却施設周辺の自然環境に多大な負荷をかけることになる。
【０００５】
それゆえに、本願発明の主たる目的は、軽量で毛髪および頭皮に負担をかけることなく、使用後は分別処理することなく燃えるゴミと一緒に廃棄処分することができ、焼却しても、有害物質が発生することがなく環境負荷を極力少なくすることができる、髪巻き具を提供することである。
【課題を解決するための手段】
【０００６】
請求項１にかかる本願発明は、筒状体に形成され、筒状体の周面に毛髪が巻かれる巻き部本体と、巻き部本体の内側に配置され、熱および／またはスチームが排出可能となる発熱体を含み、巻き部本体は、紙および／またはパルプを主材料として形成されることを特徴とする、髪巻き具である。
請求項１にかかる髪巻き具では、巻き部本体に毛髪が巻かれる。巻き部本体は、発熱体から排出される熱および／またはスチームによって加熱されるため、巻き部本体に巻かれた毛髪がスムーズにカールされる。さらに、髪巻き具は、紙および／またはパルプを主材料として形成されているので、手軽に持ち運ぶことができ、電気、ガス、水道等の設備を必要とせず、しかも、髪巻き具を使用した後は、燃えるゴミと一緒に気軽に廃棄処分することが可能となる。この場合、焼却処理した場合でも、有害ガス等も発生することがないので、環境負荷の低減化にも寄与することができる。また、巻き部本体が紙およびパルプで形成された場合には、それを地中に埋める廃棄をしても、約６ヶ月ぐらい過ぎれば自然に分解される利点がある。
請求項２にかかる本願発明は、請求項１にかかる発明に従属される発明であって、巻き部本体の内側で前記発熱体と前記巻き部本体との間に配置され、筒状体に形成される内筒部と、内筒部の周面に配設され、各々、切れ目で囲まれた部位が内筒部の周面から外方に向いて突出する多数の遊離舌片をさらに含み、巻き部本体および内筒部が紙を主材料として形成され、遊離舌片の端縁の少なくとも一部が、巻き部本体の内面に当接して、巻き部本体を支持していることを特徴とする、髪巻き具である。
請求項２にかかる髪巻き具では、巻き部本体と内筒部との複層筒構造を有し、巻き部本体の内周面が内筒部の多数の遊離舌片により押圧・支持されるため、髪巻き具全体としての剛性が補強され、髪巻き具の使用に耐えうる適宜な剛性を保持することが可能となる。この場合、巻き部本体から部分的に遊離された遊離舌片は、バネ効果を有するものである。また、内筒部の周面には、遊離舌片が遊離・離間した元の部位に、貫通部が配設される。これらの貫通部を介して、発熱体からの熱および／またはスチームが巻き部本体側へと伝導可能となる。この場合、発熱体と巻き部本体との間に配置された内筒部、および、巻き部本体と内筒部との間の間隙（空気層）は、発熱体からの熱および／またはスチームが巻き部本体の外周面側に伝導するときのバッファとなり、断熱・保温効果を持たせることが可能となる。この場合、発熱体から巻き部本体の表面へ伝導される際の熱損失によるロスが少ないものとなる。
請求項３にかかる本願発明は、請求項２にかかる発明に従属される発明であって、巻き部本体の周面に配設され、各々、切れ目で囲まれた部位が巻き部本体の周面から外方に向いて突出する多数の切起し片をさらに含むことを特徴とする、髪巻き具である。
請求項３にかかる髪巻き具では、巻き部本体に毛髪を巻き付けるときに、巻き部本体の外周面に配設された多数の切起し片によって、毛髪の巻き付け効果が高められる。この場合、切起し片の端面部は、切起し片の一方主面部および他方主面部と比べて、粗密等の性状が異なっているため、巻き部本体に毛髪が巻かれたときに、毛髪が切起し片の端面部に当接ないし食い込み、その摩擦力によって滑り止め効果を発揮する。また、毛髪を巻き部本体に巻き付けた時に、初期的には、隣り合う切起し片間に毛髪が配列されるため、毛髪の整列作用にも効果的となる。さらに、巻き部本体の周面には、切起し片が離間した元の部位に貫通部が配設されるので、巻き部本体の内側の発熱体からの熱および／またはスチームがこれらの貫通部を介して、巻き部本体に巻かれた毛髪へと伝導可能となる。
請求項４にかかる本願発明は、請求項３にかかる発明に従属される発明であって、巻き部本体の切起し片の端面は、巻き部本体の軸線方向ないし巻き部本体の軸線と交差する方向に配置されることを特徴とする、髪巻き具である。
請求項４にかかる髪巻き具では、切起し片の端面は、巻き部本体の軸線方向ないし巻き部本体の軸線と交差する方向に配置されているため、巻き部本体に毛髪を巻き付けたときの滑り止め効果がより効果的なものとなる。
請求項５にかかる本願発明は、請求項１〜請求項４のいずれかにかかる発明に従属される発明であって、巻き部本体の周面には、毛髪を巻いたときの滑り止めとなる防滑部が配設されることを特徴とする、髪巻き具である。
請求項５にかかる髪巻き具では、防滑部の作用により、毛髪が巻き部本体の周面に巻き付けられ易くなる。
請求項６にかかる本願発明は、請求項５にかかる発明に従属される発明であって、防滑部は、巻き部本体の軸線方向ないし巻き部本体の軸線と交差する方向に配置されることを特徴とする、髪巻き具である。
請求項６にかかる髪巻き具では、防滑部が巻き部本体の軸線方向ないし巻き部本体の軸線と交差する方向に配置されているため、巻き部本体に毛髪を巻き付けたときの滑り止め効果がより効果的なものとなる。
請求項７にかかる本願発明は、請求項１にかかる発明に従属される発明であって、巻き部本体は、その周面に貫通部を有することを特徴とする、髪巻き具である。
請求項７にかかる髪巻き具では、巻き部本体の内側の発熱体からの熱および／またはスチームが貫通部を介して、巻き部本体に巻かれた毛髪へと伝導可能となる。
請求項８にかかる本願発明は、請求項２にかかる発明に従属される発明であって、巻き部本体および内筒部は、それぞれ、その周面に貫通部を有することを特徴とする、髪巻き具である。
請求項８にかかる髪巻き具では、巻き部本体の内側の発熱体からの熱および／またはスチームが、内筒部および巻き部本体の貫通部を介して、巻き部本体に巻かれた毛髪へと伝導可能となる。
請求項９にかかる本願発明は、請求項５にかかる発明に従属される発明であって、防滑部は、巻き部本体の周面の少なくとも一部に配設された合成樹脂からなる塗膜を含むことを特徴とする、髪巻き具である。
請求項９にかかる髪巻き具では、防滑部が合成樹脂からなる塗膜を含み、この塗膜が巻き部本体の周面の少なくとも一部に配設されることによって、巻き部本体に毛髪を巻き付けたときの滑り止め効果が得られる。
請求項１０にかかる本願発明は、請求項５にかかる発明に従属される発明であって、巻き部本体の周面の少なくとも一部に配設された凸部を含むことを特徴とする、髪巻き具である。
請求項１０にかかる髪巻き具では、巻き部本体の周面の少なくとも一部に配設される凸部を含み、この凸部によって、巻き部本体に毛髪を巻き付けたときの滑り止め効果が得られる。
請求項１１にかかる本願発明は、紙および／またはパルプを主材料として形成され、内筒部および巻き部本体を形成するための髪巻き具用シートであって、髪巻き具用シートは、遊離舌片および切起し片を形成するための切れ目を含むことを特徴とする、髪巻き具用シートである。
請求項１１にかかる髪巻き具用シートでは、当該髪巻き具用シートが周方向に適宜巻かれることによって、髪巻き具の内筒部および巻き部本体となる筒状体が形成される。この場合、切れ目で囲まれた部分は、遊離舌片および切起し片を形成する。
【発明の効果】
【０００７】
本願発明にかかる髪巻き具によれば、軽量で手軽に持ち運べて、毛髪および頭皮に負担をかけずに使用することができ、使用後は分別処理することなく燃えるゴミと一緒に廃棄処分可能となり、焼却しても有害物質の発生もなく、環境負荷の低減化にもなる、髪巻き具が得られる。また、髪巻き具が紙およびパルプで形成された場合には、それを地中に埋める廃棄をしても、約６ヶ月ぐらいで自然に分解されるので、環境に負荷を与えることもない。
【０００８】
本願発明の上述の目的，その他の目的，特徴および利点は、図面を参照して行う以下の発明を実施するための最良の形態の詳細な説明から一層明らかとなろう。
【発明を実施するための最良の形態】
【０００９】
図１は、本願発明にかかる髪巻き具の実施形態の一例を示す斜視図解図であり、図２は、図１の分解斜視図解図である。図３は、図１および図２の髪巻き具の巻き部本体を形成するための髪巻き具用シートを示す図解図であって、（ａ）はその平面図解図であり、（ｂ）は（ａ）のＡ−Ａ線における断面図解図である。図４は、図１および図２の髪巻き具の内筒部を形成するための髪巻き具用シートを示す平面図解図である。
本実施形態例の髪巻き具１０は、巻き部本体１２を含む。巻き部本体１２は、例えば、紙を主材料として断面略多角形の筒状体に形成される。また、巻き部本体１２の軸方向の両端に、それぞれ、たとえば半円状部が連続してなる波状凹凸部１３を有するものである。さらに、巻き部本体１２は、図２に示すように、その周面に所定の間隔を隔てて、多数のたとえばＶ字状の切起し片１４を有する。これらの切起し片１４は、それぞれ、巻き部本体１２の周面に配設された多数の切れ目１６で囲まれた部位が巻き部本体１２の周面から外方に向いて突出するように離間されることによって形成されている。
【００１０】
すなわち、本実施形態例の髪巻き具１０では、巻き部本体１２の周面に、巻き部本体１２の周方向に所定の間隔を隔てて、たとえば１０個のＶ字状の切れ目１６が配設されている。１０個の切れ目１６は、巻き部本体１２の軸方向に所定の間隔を隔てて、たとえば８列配列されている。各切れ目１６は、それぞれ、巻き部本体１２の周面を貫通するものである。さらに、切れ目１６は、図３（ａ）に示すように、たとえば巻き部本体１２の軸線方向と直角に交差する直線状部１６ａと、巻き部本体１２の軸線方向とたとえば４５度の角度で斜めに交差する直線状部１６ｂとでＶ字状に構成される。
【００１１】
この場合、巻き部本体１２の周面に配設された多数の切れ目１６は、それぞれ、その先端部が一方の周方向側に向いて配置されている。また、巻き部本体１２の軸方向の中央部を境にして、その一方側に配列された多数の切れ目１６の直線状部１６ｂと、その他方側に配列された多数の切れ目１６の直線状部１６ｂとは、線対称に配置されている。
これら多数の切れ目１６が巻き部本体１２の周面から外方に突出されて、多数の切起し片１４が形成されている。この場合、巻き部本体１２の周面には、切起し片１４が離間した元の部位に、貫通部１５が配設されるものとなる。
【００１２】
さらに、本実施形態例の髪巻き具１０では、巻き部本体１２の外周面に、たとえば図３（ｂ）に示すように、ポリプロピレン，ポリエチレン等のフイルムがラミネート、または、ポリプロピレン，ポリエチレン等の合成樹脂が塗布されてなる合成樹脂層１８が形成されている（なお、図１および図２では、合成樹脂層１８は図示していない。）。この合成樹脂層１８の下層の巻き部本体１２表面には、模様等の巻き部本体１２を装飾するための各種印刷層（図示せず）が適宜形成され得る。合成樹脂層１８は、各種装飾印刷後のインキが熱やスチームや加圧によって毛髪に転移されることを防ぐと共に、印刷色の色あせや汚染を防止する役割を持たせるものである。
【００１３】
そこで、巻き部本体１２の形成方法の一例について、特に、たとえば図３（ａ），（ｂ）を参照しながら説明する。本実施形態例では、先ず、髪巻き具１０の巻き部本体１２を形成するための髪巻き具用シート２０が準備される。髪巻き具用シート２０は、図３（ａ）に示すように、たとえば横長矩形状のシート基材２２を含む。シート基材２２は、紙で形成され、紙の縦目（抄紙機の流れ方向／ＭＤ）がシート基材２２の長手方向となるように形成されている。シート基材２２の一方主面（表面）には、図３（ｂ）に示すように、ポリエチレン等の合成樹脂が塗布されてなる合成樹脂層１８が形成されている。
【００１４】
また、シート基材２２には、その長手方向に所定の間隔を隔てて、たとえば１０本の折り曲げ線２４が配設されている。これらの折り曲げ線２４は、それぞれ、シート基材２２の幅方向の一端側から他端側に延びて配列されている。さらに、シート基材２２には、その長手方向に所定の間隔を隔てて配置されるたとえば１０個の切れ目１６の列が、シート基材２２の幅方向に所定の間隔を隔てて８列に配列されている。これらの切れ目１６は、それぞれ、たとえばＶ字状の態様を有し、その両端（Ｖ字状の始点と終点）が各折り曲げ線２４上に配置されている。各切れ目１６は、それぞれ、シート基材２２の幅方向と直角に交差する直線状部１６ａと、シート基材２２の幅方向とたとえば４５度の角度で斜めに交差する直線状部１６ｂとでＶ字状に構成されている。なお、各切れ目は、たとえばトムソン刃による抜き加工等の適宜な切れ目形成手段により形成される。
【００１５】
そして、このシート基材２２は、その一方主面（表面）側が外側になるように、つまり、合成樹脂層１８が外側になるように、筒状に丸められる。この場合、シート基材２２の各折り曲げ線２４を順次折り曲げていくことによって、各切れ目１６で囲まれた部分が外方に突出して切起し片１４が形成される。なお、シート基材２２は、紙の延伸方向に沿って折り曲げられていく。また、シート基材２２の長手方向の一端側とシート基材２２の長手方向の他端側とを重ね合わせるときに、位置ずれを防ぐために、シート基材２２の長手方向の一端線２２ａが、シート基材２２の長手方向の他端側の切起し片１４とシート基材２２との間に挿入・係止されるように嵌め込まれて、重ね合わせられる。それから、当該重ね合わせ部分が、接着剤等の固着手段により固着される。このように、シート基材２２をその折り曲げ線２４で順次折り曲げていくことによって、巻き部本体１２が筒状体として形成される。なお、本実施形態例では、シート基材２２の折り曲げ線２４が１０本に形成されたが、折り曲げ線の数は、８〜１２本程度が、略円筒形状の形成や剛性の向上や、ものづくりのし易さから好ましい範囲である。
【００１６】
また、本実施形態例の髪巻き具１０では、巻き部本体１２の内側に、内筒部２６が配置される。内筒部２６は、たとえば紙を主材料として断面略多角形の筒状体に形成される。内筒部２６は、巻き部本体１２の径よりも小さい径を有する筒状体に形成される。また、内筒部２６は、その軸方向の両端に、それぞれ、巻き部本体１２と同様の構造の波状凹凸部２７を有する。さらに、内筒部２６は、図２に示すように、その周面から外方に向いて突出する多数のたとえば半円状の遊離舌片２８を有する。多数の遊離舌片２８は、内筒部２６の周面に所定の間隔を隔てて配設される。これらの遊離舌片２８は、それぞれ、内筒部２６の周面に配設された多数の半円状の切れ目３０で囲まれた部位が内筒部２６の周面から外方に向いて突出するように離間されることによって形成されている。
【００１７】
この場合、多数の切れ目３０は、それぞれ、その先端部が同じ周方向に向いて配置されている。また、内筒部２６の周面には、遊離舌片２８が離間した元の部位に、貫通部２９が配設されるものとなる。さらに、本実施形態例の髪巻き具１０では、内筒部２６の内周面全面に、ポリエチレン等の合成樹脂が塗布されてなる合成樹脂層（図示せず）が形成されている。この合成樹脂層（図示せず）は、耐水性を有するものである。
【００１８】
次に、内筒部２６の形成方法の一例について、特に、たとえば図４を参照しながら説明する。本実施形態例では、先ず、髪巻き具１０の内筒部２６を形成するための髪巻き具用シート３２が準備される。髪巻き具用シート３２は、図４に示すように、たとえば横長矩形状のシート基材３４を含む。シート基材３４は紙で形成され、シート基材３４の一方主面（表面）には、ポリエチレン等の合成樹脂が塗布されてなる合成樹脂層（図示せず）が形成されている。
【００１９】
また、シート基材３４には、その長手方向に所定の間隔を隔てて、たとえば１０本の折り曲げ線３６が配設されている。これらの折り曲げ線３６は、それぞれ、シート基材３４の幅方向の一端側から他端側に延びて配列されている。さらに、シート基材３４には、その長手方向に所定の間隔を隔てて配置されるたとえば１０個の切れ目３０の列が、シート基材３４の幅方向に所定の間隔を隔てて４列に配列されている。これらの切れ目３０は、それぞれ、たとえば半円状の態様を有し、その両端（半円状の始点と終点）が各折り曲げ線３６上に配置されている。
【００２０】
そして、このシート基材３４は、その一方主面（表面）側が内側になるように、つまり、合成樹脂層（図示せず）が内側になるように、筒状に丸められる。この場合、シート基材３４の各折り曲げ線３６を順次折り曲げていくことによって、各切れ目３０で囲まれた部分が外方に突出して遊離舌片２８が形成される。なお、シート基材３４は、紙の延伸方向に沿って折り曲げられていく。また、シート基材３４の長手方向の一端側とシート基材３４の長手方向の他端側とを重ね合わせるときに、位置ずれを防ぐために、シート基材３４の長手方向の一端線３４ａが、シート基材３４の長手方向の他端側の遊離舌片２８とシート基材３４との間に挿入・係止されるように嵌め込まれて、重ね合わせられる。それから、当該重ね合わせ部分が、接着剤等の固着手段により固着される。このように、シート基材３４をその折り曲げ線３６で順次折り曲げていくことによって、内筒部２６が筒状体として形成される。なお、本実施形態例では、シート基材３４の折り曲げ線３６が１０本に形成されたが、折り曲げ線の数は、８〜１２本程度の範囲のものが好ましい。
【００２１】
本実施形態例の髪巻き具１０では、巻き部本体１２と内筒部２６との複層筒構造、この場合、２重筒構造を有し、特に、たとえば図５に示すように、巻き部本体１２の内周面が内筒部２６の多数の遊離舌片２８により押圧・支持されている。そのため、髪巻き具１０全体としての剛性が補強され、髪巻き具１０の使用に耐えうる適宜な剛性を保持することができる。この場合、内筒部２６の遊離舌片２８の先端部が、巻き部本体１２の内周面（内壁面）の折れ曲げ角部ないしその近傍を押圧・支持している。また、巻き部本体から部分的に遊離された遊離舌片は、バネ効果を有しているので、より効果的に巻き部本体１２の内周面（内壁面）を押圧・支持することができる。
なお、巻き部本体１２と内筒部２６との複層筒構造においては、たとえば図６に示すように、内筒部２６の遊離舌片２８の先端部が、巻き部本体１２の切起し片１４を外方に押圧して、切起し片１４の外方への突出を支援するような支持構造を構成するようにすることが好ましい。
【００２２】
さらに、本実施形態例の髪巻き具１０では、たとえば図１および図２に示すように、熱およびスチームを排出可能とする発熱体３８が、内筒部２６の内側に配置される。発熱体３８は、たとえば図７（ａ），（ｂ）に示すように、可とう性を有する偏平状の袋部４０を含む。袋部４０の内部には、たとえば還元鉄粉および水を含む発熱物質４２が収納されている。また、偏平袋状部４０は、その一方主面側（表面側）に、通気性を有するたとえば合成樹脂フイルムからなる通気層４４が形成され、その他方主面側（裏面側）には、通気性を有しないたとえば合成樹脂フイルムからなるバリア層４６が形成されている。
この発熱体３８では、発熱物質中の還元鉄粉と水と空気との酸化反応によって、熱とスチームとが外部に排出される。この場合、発熱体３８からの熱とスチームは、袋部４０の一方主面側の通気層４４を通って外部に排出されるが、他方主面側からはバリア層４６によってその排出が遮断される。なお、発熱体３８は、上記したものに限定されることなく、熱および／またはスチームを発生させるものであれば、他の加熱手段も適用され得る。
【００２３】
本実施形態例の髪巻き具１０では、袋部４０がその一方主面側を外側面になるように筒状に丸められ、内筒部２６の内側に配置されるものである。本願発明者の実験によれば、巻き部本体１２の表面での熱およびスチームは、たとえば毛髪に安全で優しい６０℃〜８０℃程度の範囲で、且つ、湿度が８０％以上の雰囲気を形成することが確認できた。この場合、巻き部本体１２の表面温度の温度特性を見てみると、たとえば図８に示すように、巻き部本体１２の表面温度は、発熱開始から約５分程度で髪のカール最適温度の６０℃に達し、約１０分で最高温度・約７５℃位に上昇し、その温度を５０分程度維持することがわかる。この５０分間にわたる範囲で約１０分間の髪のカール整形を数回行うことができる。
本実施形態例の髪巻き具１０に用いられる発熱体３８自体の発熱温度は、約９０〜９５℃ぐらいで約５０分程度持続できるように設計されている。この場合、発熱物質４２が収納された袋部４０を巻き部本体１２の内筒部２６の内面側に向いて対向する面側だけに通気層４４を設け、たとえばカイロ用の１０倍以上の通気量を確保し、カイロ用に用いられる発熱体よりもＢＥＴ（被表皮表面積）の大きい還元鉄粉を多く用いることによって、発熱体３８の発熱温度の高温化（約９０〜９５℃ぐらい）を実現している。そして、発熱体３８自体の発熱温度を断熱材の機能を有する紙と、発熱体３８および内筒部２６間の空気層、内筒部２６および巻き部本体１２間の空気層とが配置された本件髪巻き具１０の設計（材料、貫通部、寸法および最適化調整）によって、毛髪を傷めずに優しくカールするのに適正な温度範囲（６０℃〜８０℃程度の範囲）に保たれるように形成されている。なお、通常、市販されているカイロ用の金属発熱体は、４０〜５０℃程度までの温度しか得られない。
【００２４】
なお、上述した実施形態例の髪巻き具１０では、巻き部本体１２の切起し片１４と内筒部２６の遊離舌片２８とが、たとえば図５に示すように、周方向の一方側に同じように向いて配置されているが、たとえば図９および図１０に示すように、切起し片１４が周方向の一方側に向いて配置され、遊離舌片２８が周方向の他方側に向いて配置されるような２重筒状構造としてもよい。この場合、図９に示す髪巻き具１０では、内筒部２６の遊離舌片２８の先端部が、巻き部本体１２の内周面（内壁面）を押圧・支持する支持構造を構成しており、また、図１０に示す髪巻き具１０では、内筒部２６の遊離舌片２８の先端部が、巻き部本体１２の切起し片１４を外方に押圧して、切起し片１４の外方への突出を支援するような支持構造を構成している。
【００２５】
図１１は、本願発明にかかる髪巻き具の実施形態の他の例を示す斜視図解図であり、図１２は、図１１の分解斜視図である。図１３は、図１１および図１２の髪巻き具の巻き部本体を形成するための髪巻き具用シートを示す図解図であって、（ａ）はその平面図解図であり、（ｂ）は（ａ）のＡ−Ａ線における断面図解図である。
この実施形態例の髪巻き具１０は、上述の実施形態例およびその変形例で示した髪巻き具１０と比べて、特に、巻き部本体１２に配設される切起し片１４を形成するための切れ目１６の数、大きさおよびその配列が相違する。すなわち、図１１〜図１３等に示す髪巻き具１０では、巻き部本体１２の周方向に所定の間隔を隔てて配設された１０個の切れ目１６が、巻き部本体１２の軸方向に所定の間隔を隔てて、たとえば５列に配列されている。また、切れ目１６の大きさも２倍ほど大きく形成されている。さらに、切れ目１６の配列を見てみると、特に、たとえば図３（ａ）に示すように、巻き部本体１２の軸方向の中央部には、巻き部本体１２の軸線方向とたとえば４５度の角度で斜めに交差する直線状部１６ａおよび１６ｂを有するＶ字状の切れ目１６が配設されている。
【００２６】
また、図１１〜図１３等に示す髪巻き具１０では、図１４および図１５に示す支持構造が採用され得る。つまり、図１４に示す髪巻き具１０では、内筒部２６の遊離舌片２８の先端部が、巻き部本体１２の内周面（内壁面）の折り曲げ角部ないしその近傍を押圧・支持する支持構造を採用しており、また、図１５に示す髪巻き具１０では、内筒部２６の遊離舌片２８の先端部が、巻き部本体１２の切起し片１４を外方に押圧して、切起し片１４の外方への突出を支援するような支持構造を採用している。
【００２７】
なお、図１１〜図１３等に示す実施形態例の髪巻き具１０では、巻き部本体１２の切起し片１４と内筒部２６の遊離舌片２８とが、たとえば図１４に示すように、周方向の一方側に同じように向いて配置されているが、たとえば図１６および図１７に示す変形例のように、切起し片１４が周方向の一方側に向いて配置され、遊離舌片２８が周方向の他方側に向いて配置されるような２重筒状構造としてもよい。この場合、図１６に示す変形例では、内筒部２６の遊離舌片２８の先端部が、巻き部本体１２の内周面（内壁面）を押圧・支持する支持構造を構成しており、また、図１７に示す変形例では、内筒部２６の遊離舌片２８の先端部が、巻き部本体１２の切起し片１４を外方に押圧して、切起し片１４の外方への突出を支援するような支持構造を構成している。
【００２８】
次に、上述した各実施形態例の髪巻き具１０の作用・効果について、図１〜図１７および図１８，図１９を適宜参照しながら説明する。
すなわち、図１〜図３等および図１１〜図１３等に示す各髪巻き具１０では、それぞれ、巻き部本体１２の外周面に毛髪が巻かれる。この場合、毛髪Ｈは、たとえば図１８に示すように、弾力性を有したバンドや紐類からなる係止具４８で留められる。係止具４８は、巻き部本体１２の軸方向両端の波状凹凸部１３の凹部に引っ掛けられて係止される。また、巻き部本体１２の軸線方向に対して略直交する方向で、且つ、巻き部本体１２の切起し片１４の先端部側が向く方向と同じ方向（順方向）となるように、巻かれるのが好ましい。
髪巻き具１０では、巻き部本体１２が発熱体３８から排出される熱およびスチームによって加熱され、巻き部本体１２に巻かれた毛髪Ｈに潤いを与えた状態でカールされるため、自然でしっとりとした巻毛を整形することができる。さらに、髪巻き具１０は、紙を主材料として形成されているので、手軽に持ち運ぶことができ、しかも、髪巻き具１０を使用した後は、燃えるゴミと一緒に気軽に廃棄処分することができる。そして、それを焼却処理した場合でも、有害ガス等も発生することがないので、環境負荷を極力少なくすることができる。
【００２９】
また、髪巻き具１０では、たとえば図５，図６，図９，図１０，図１４，図１５，図１６，図１７に示すように、巻き部本体１２と内筒部２６との複層筒構造を構成し、巻き部本体１２の内周面が内筒部２６の多数の遊離舌片２８により押圧・支持されるので、髪巻き具１０全体としての剛性が補強され、髪巻き具１０の使用に耐えうる適宜な剛性を保持することができる。また、内筒部２６の周面には、たとえば図２および図１２に示すように、遊離舌片２８が遊離・離間した元の部位に貫通部２９が配設されるため、これらの貫通部２９を介して、発熱体３８からの熱およびスチームが巻き部本体１２側へと伝導される。この場合、発熱体３８と巻き部本体１２との間に配置された内筒部２６、および、巻き部本体１２と内筒部２６との間の間隙（空気層）は、発熱体３８からの熱およびスチームが巻き部本体１２の外周面側に巻かれた毛髪に伝導するときのバッファとなり、断熱・保温効果を持たせることができる。この場合、発熱体３８から巻き部本体１２の表面へ伝導される際の熱損失によるロスが少ないものとなる。
【００３０】
さらに、髪巻き具１０では、特に、たとえば図１８および図１９に示すように、巻き部本体１２に毛髪Ｈを巻き付けるときに、巻き部本体１２の外周面に配設された多数の切起し片１４によって、毛髪Ｈの巻き付け効果が高められる。すなわち、切起し片１４の端面部１４ａは、切起し片１４の表面部および裏面部と比べて、表面荒さの粗密等の性状が異なっているため、巻き部本体１２に毛髪Ｈが巻かれたときに、毛髪Ｈが切起し片１４の端面部に当接あるいは食い込みのときの摩擦力によって滑り止め効果が得られる。
【００３１】
しかも、毛髪Ｈを巻き部本体１２に巻き付けた時に、初期的には、特に、たとえば図１８に示すように、隣り合う切起し片１４間に毛髪Ｈが配列されるため、毛髪Ｈの整列作用にも役立つものとなる。さらに、巻き部本体１２の周面には、切起し片１４が離間した元の部位に貫通部１５が配設されるので、巻き部本体１２の内側の発熱体３８からの熱およびスチームがこれらの貫通部１５を介して、巻き部本体１２に巻かれた毛髪Ｈへと伝導される。また、この髪巻き具１０では、内筒部２６の合成樹脂層が内側になるように、つまり、発熱体３８の通気層４４と対向するように配置されているため、発熱体３８からのスチームの水分によって、内筒部２６の剛性が低下することが防止されるものである。なお、内筒部２６の内周面に合成樹脂層を形成する替りに、内筒部２６自体を防水紙で形成するようにしてもよい。
【００３２】
図２０は、図１１および図１２の髪巻き具に用いられる巻き部本体を形成するための他の例の髪巻き具用シートを示す図解図であって、（ａ）はその平面図解図であり、（ｂ）は（ａ）のＡ−Ａ線における断面図解図である。この髪巻き具用シート２０は、図１３に示す髪巻き具用シート２０と比べて、特に、シート基材２２の一方主面全面に、防滑部としての機能を有する、たとえばアクリル樹脂エマルジョン系の発泡塗膜からなる防滑層５０が形成されている。図２０では、防滑層５０の筋の走行方向がシート基材２２の長手方向であるが、筋の走行方向は、シート基材２２の幅方向であってもよい。この髪巻き具用シート２０で巻き部本体１２を形成した場合、防滑層５０の滑り止め作用により、毛髪Ｈを巻き部本体の周面に巻き付けるときに、毛髪Ｈが滑らないので、毛髪Ｈが巻き付け易くなる。防滑層５０としては、たとえば毛髪Ｈとの摩擦係数が０．３以上であれば、アクリル樹脂エマルジョン系の発泡塗膜以外の合成樹脂塗膜であってもよい。なお、この防滑層５０は、図１〜図３等に示す髪巻き具１０の巻き部部本体１２を形成するためのシート基材２２の一方主面にも適宜形成し得るものである。また、防滑層５０は、シート基材２２の一方主面に部分的に形成するようにしてもよい。
【００３３】
図２１は、図１，図２および図１１，図１２の髪巻き具に用いられる他の例の内筒部を形成するための髪巻き具用シートを示す図解図である。この髪巻き具用シート３２は、図４に示す髪巻き具用シート３２と比べて、特に、シート基材３４の長手方向に所定の間隔を隔てて配置されるたとえば１０個の切れ目３０の列が、シート基材３４の幅方向に所定の間隔を隔てて３列に配列されている。この場合、シート基材３４の幅方向に配列される切れ目３０間の折り曲げ線３６の長さが長く形成されている。
【００３４】
図２２は、図１，図２および図１１，図１２の髪巻き具に用いられる内筒部を形成するためのさらに他の例の髪巻き具用シートを示す平面図解図である。この髪巻き具用シート３２は、図４に示す髪巻き具用シート３２と比べて、特に、切れ目３０の形状と配列が相違する。すなわち、図２２に示す髪巻き具用シート３２では、シート基材３４の長手方向に向いて延びる多数のたとえば直線状の切れ目５２が配列される。多数の切れ目５２は、シート基材３４の主面上に千鳥状に配列される。熱を帯びた水蒸気は、僅かな間隙でも高速で移動することができるので、内筒部２６は、図４、図２１、図２２に示すように、内筒部２６の切れ目の形状や貫通部が、熱伝導、保温性、剛性の観点からある程度の設計の自由度を有するものである。同様に、巻き部本体１２の切れ目の形状や貫通部も熱伝導、保温性、剛性、髪の巻き易さなどの観点からある程度の設計の自由度を有するものである。また、シート基材３４の長手方向の一端側寄りには、２つの半円状の切れ目３０が、シート基材３４の幅方向に所定の間隔を隔てて配列されている。この場合、２つの切れ目３０の両端（半円状の始点と終点）が、長手方向の一端側寄りの折り曲げ線３６上に配置されている。また、それ以外の折り曲げ線３６は、各切れ目５２の長さ方向の中央部を直交する方向に配置されている。
【００３５】
図２３および図２４は、それぞれ、本願発明にかかる髪巻き具の実施形態のさらに他の例を示す断面図解図である。図２３および図２４に示す実施形態例の髪巻き具１０は、上述の各実施形態例の髪巻き具１０と比べて、特に、巻き部本体１２と内筒部２６との複層筒構造の態様が相違するものである。すなわち、図１，図２，図５，図６，図９〜図１２，図１４〜図１７に示した髪巻き具１０では、巻き部本体１２および内筒部２６の軸中心が略同軸線上に配置された２重筒状構造に形成されているが、図２３および図２４に示す髪巻き具１０では、巻き部本体１２および内筒部２６の軸中心が同軸線上に配置されておらず、１つの巻き部本体１２の内側に複数の内筒部２６が隣り合うようにして配置される態様となっている。この場合、１つの巻き部本体１２の中に、図２３に示す髪巻き具１０では、２つの内筒部２６が隣り合うように配置され、図２４に示す髪巻き具１０では、３つの内筒部２６が隣り合うように配置されている。
【００３６】
図２５は、本願発明にかかる髪巻き具の別の実施形態の一例を示す斜視図である。図２５に示す実施形態例の髪巻き具１０は、上述した各実施形態例の髪巻き具１０と比べて、複層筒状構造には形成されず、特に、紙およびパルプを主材料として、単一の円筒状に形成されている点で相違する。すなわち、図２５に示す髪巻き具１０は、巻き部本体５４を含む。巻き部本体５４は、バージンパルプと古紙（再生紙）とがたとえば略５０％−５０％の割合で混合されたものを主材料として円筒状に形成される。この場合、巻き部本体５４は、紙パルプ成型により形成され、その厚みが例えば１．５〜２．０ｍｍ位に形成される。また、巻き部本体５４の軸方向の一端及び他端には、それぞれ、その周縁にＵ字状の切欠き部５６ａを有する鍔部５６が配設される。鍔部５６も巻き部本体５４と同様の材料で形成される。なお、鍔部５６の切欠き部５６ａには、毛髪を巻き部本体５４の外周面に巻いた時に、上述した各実施形態例と同様の係止具４８が係止され得る。
さらに、巻き部本体５４の中空部６０には、たとえば上述した各実施形態例の髪巻き具１０と同様の発熱体３８（図２５では図示せず）が挿入・配置されるものである。
図２５に示す実施形態例の髪巻き具１０においても、上述した各実施形態例の髪巻き具１０と同様に、巻き部本体１２が発熱体３８から排出される熱およびスチームによって加熱され、巻き部本体１２に巻かれた毛髪Ｈに潤いを与えた状態でカールされるため、自然でしっとりとした巻毛を整形することができる。さらに、髪巻き具１０は、紙およびパルプを主材料として形成されているので、手軽に持ち運ぶことができ、電気、ガス、水道等の設備を必要とせず、しかも、髪巻き具１０を使用した後は、燃えるゴミと一緒に気軽に廃棄処分することができる。そして、使用後のものを土中に埋設して自然に分解処理することができる。また、それを焼却処理した場合でも、有害ガス等も発生することがないので、環境負荷を極力少なくすることができる。また、その髪巻き具１０を埋めて廃棄しても約６ケ月以上過ぎれば自然に分解されていく。
【００３７】
図２５に示す実施形態例の髪巻き具１０では、たとえば図２６に示すように、巻き部本体１２の外周面に、防滑部として、たとえば直線状の複数の凸部５８を配設するようにしてもよい。これらの凸部５８は、それぞれ、巻き部本体１２の軸線方向と同方向に延びて配設されている。また、凸部５８は、たとえば図２７に示すように、巻き部本体１２の外周面に螺旋状に配設されてもよい。さらに、凸部５８は、たとえば図２８に示すように、２条の螺旋状がたとえば４５度の角度で交差するように配設されてもよい。また、凸部５８は、たとえば図２９に示すように、巻き部本体１２の外周面に部分的に配設されてもよい。なお、防滑部としての凸部５８としては、たとえば毛髪との摩擦係数が０．３以上の樹脂塗膜を巻き部本体１２の外周面全面ないし部分的に形成するようにしてもよい。
【００３８】
また、図２５〜図２９に示す実施形態例の髪巻き具１０では、巻き部本体１２に、機械的強度および物理的改善性を付与するために、合成樹脂やフィラー等の添加剤が適宜混入され得る。さらに、図２５〜図２９に示す実施形態例の髪巻き具１０では、巻き部本体１２および鍔部５６をたとえばトウモロコシやジャガイモ等のデンプンから得られるポリ乳酸等の乳酸を原料にした植物由来の生分解性プラスチックで形成するようにすれば、髪巻き具１０を使用した後に、当該髪巻き具１０を土中に埋設して消滅させるようにすることも可能となる。
【図面の簡単な説明】
【００３９】
【図１】本願発明にかかる髪巻き具の実施形態の一例を示す斜視図解図である。
【図２】図１の分解斜視図解図である。
【図３】図１および図２の髪巻き具の巻き部本体を形成するための髪巻き具用シートを示す図解図であって、（ａ）はその平面図解図であり、（ｂ）は（ａ）のＡ−Ａ線における断面図解図である。
【図４】図１および図２の髪巻き具の内筒部を形成するための髪巻き具用シートを示す平面図解図である。
【図５】図１および図２の髪巻き具における巻き部本体および内筒部の支持構造を示す断面図解図である。
【図６】図１および図２の髪巻き具における巻き部本体および内筒部の支持構造の他の例を示す断面図解図である。
【図７】図１および図２の髪巻き具に用いられる発熱体の一例を示す図解図であって、（ａ）はその平面図解図であり、（ｂ）は（ａ）のＡ−Ａ線における断面図解図である。
【図８】図１および図２に示す髪巻き具を用いたときの髪巻き具の発熱時間と髪巻き具の表面温度の関係を示すグラフである。
【図９】図１および図２の髪巻き具の変形例を示す断面図解図である。
【図１０】図１および図２の髪巻き具の他の変形例を示す断面図解図である。
【図１１】本願発明にかかる髪巻き具の実施形態の他の例を示す斜視図解図である。
【図１２】図１１の分解斜視図解図である。
【図１３】図１１および図１２の髪巻き具の巻き部本体を形成するための髪巻き具用シートを示す図解図であって、（ａ）はその平面図解図であり、（ｂ）は（ａ）のＡ−Ａ線における断面図解図である。
【図１４】図１１および図１２の髪巻き具における巻き部本体および内筒部の支持構造を示す断面図解図である。
【図１５】図１１および図１２の髪巻き具における巻き部本体および内筒部の支持構造の他の例を示す断面図解図である。
【図１６】図１１および図１２の髪巻き具の変形例を示す断面図解図である。
【図１７】図１１および図１２の髪巻き具の他の変形例を示す断面図解図である。
【図１８】図１１および図１２の髪巻き具を用いて巻き部本体の周面に毛髪を巻いた状態を示す図解図である。
【図１９】図１６の要部拡大図解図である。
【図２０】図１１および図１２の髪巻き具に用いられる巻き部本体を形成するための他の例の髪巻き具用シートを示す図解図であって、（ａ）はその平面図解図であり、（ｂ）は（ａ）のＡ−Ａ線における断面図解図である。
【図２１】図１，図２および図１１，図１２の髪巻き具に用いられる内筒部を形成するための他の例の髪巻き具用シートを示す平面図解図である。
【図２２】図１，図２および図１１，図１２の髪巻き具に用いられる内筒部を形成するためのさらに他の例の髪巻き具用シートを示す平面図解図である。
【図２３】本願発明にかかる髪巻き具の実施形態のさらに他の例を示す断面図解図である。
【図２４】本願発明にかかる髪巻き具の実施形態のさらに他の例を示す断面図解図である。
【図２５】本願発明にかかる髪巻き具の別の実施形態の一例を示す斜視図である。
【図２６】本願発明にかかる髪巻き具の別の実施形態の他の例を示す斜視図である。
【図２７】本願発明にかかる髪巻き具の別の実施形態のさらに他の例を示す斜視図である。
【図２８】本願発明にかかる髪巻き具の別の実施形態のさらに他の例を示す斜視図である。
【図２９】本願発明にかかる髪巻き具の別の実施形態のさらに他の例を示す斜視図である。
【符号の説明】
【００４０】
１０  髪巻き具
１２，５４  巻き部本体
１３，２７  波状凹凸部
１４  切起し片
１５，２９  貫通部
１６，３０，５２  切れ目
１８  合成樹脂層
２０，３２  髪巻き具用シート
２２，３４  シート基材
２４，３６  折り曲げ線
２６  内筒部
２８  遊離舌片
３８  発熱体
４０  袋部
４２  発熱物質
４４  通気層
４６  バリア層
４８  係止具
５０  防滑層
５６  鍔部
５６ａ  切欠き部
５８  凸部
Ｈ  毛髪
【図１】
2006122092.tif 000003
【図２】
2006122092.tif 000004
【図３】
2006122092.tif 000005
【図４】
2006122092.tif 000006
【図５】
2006122092.tif 000007
【図６】
2006122092.tif 000008
【図７】
2006122092.tif 000009
【図８】
2006122092.tif 000010
【図９】
2006122092.tif 000011
【図１０】
2006122092.tif 000012
【図１１】
2006122092.tif 000013
【図１２】
2006122092.tif 000014
【図１３】
2006122092.tif 000015
【図１４】
2006122092.tif 000016
【図１５】
2006122092.tif 000017
【図１６】
2006122092.tif 000018
【図１７】
2006122092.tif 000019
【図１８】
2006122092.tif 000020
【図１９】
2006122092.tif 000021
【図２０】
2006122092.tif 000022
【図２１】
2006122092.tif 000023
【図２２】
2006122092.tif 000024
【図２３】
2006122092.tif 000025
【図２４】
2006122092.tif 000026
【図２５】
2006122092.tif 000027
【図２６】
2006122092.tif 000028
【図２７】
2006122092.tif 000029
【図２８】
2006122092.tif 000030
【図２９】
2006122092.tif 000031